(57)【要約】【課題】的確なタイミングで好みの昼食情報などを提供することのできる店舗情報提供システムを提供する。【解決手段】各店舗が有する店舗端末からメール配信される店舗情報をそのデータベースに蓄積する管理サーバ１２と、利用会員の使用するクライアント端末１３と、をインターネットを介して接続する店舗情報提供システム１０であって、管理サーバ１２が、所定時間帯毎に前記データベースから該利用会員の嗜好やエリア等の選択条件に適合する店舗情報を抽出する情報抽出手段と、抽出された店舗情報をクライアント端末のメールアドレス宛に一括配信するメール配信手段と、を備えていることを特徴とする。また、管理サーバ１２は、そのホームページ上に前記データベースから抽出された最新の店舗情報を編集して公開するホームページ編集公開手段を備えている。【選択図】図１
2008047077.tif 000002
【特許請求の範囲】
【請求項１】
各店舗が有する店舗端末からメール配信される店舗情報をそのデータベースに蓄積する管理サーバと、
利用会員の使用するクライアント端末と、をインターネットを介して接続する店舗情報提供システムであって、
前記管理サーバが、
所定時間帯毎に前記データベースから該利用会員の嗜好やエリア等の選択条件に適合する店舗情報を抽出する情報抽出手段と、
抽出された店舗情報をクライアント端末のメールアドレス宛に一括配信するメール配信手段と、
を備えていることを特徴とする店舗情報提供システム。
【請求項２】
前記管理サーバは、そのホームページ上に前記データベースから抽出された最新の店舗情報を編集して公開するホームページ編集公開手段を備えていることを特徴とする請求項１記載の店舗情報提供システム。
【発明の詳細な説明】
【技術分野】
【０００１】
本発明は、インターネットを利用した、飲食店における昼食情報などの店舗情報を利用会員にメール配信する店舗情報提供システムに関する。
【背景技術】
【０００２】
近年、各種の業種において、企業や店舗がインターネット上に展開したホームページに仮想的な商店を設定し、この仮想商店を通じて商品の注文を受け付けることが行われている。例えば、特許文献１（特開２００２−６３４７８号公報）には、無償又は割引のサービスを提供する情報のホームページを作り、エリア別、項目別、サービスの内容などの検索機能を備える事により、消費者が求める情報を容易かつ迅速に得る事ができるようにしたビジネスシステムが開示されている。
ところで、このような電子ショッピングシステムにおいては、ホームページを閲覧する一般需要者の関心をいかにして引き付け、そこに掲示された商品に対する購入意欲を誘起させるかが重要なポイントとなる。また、掲示される商品の品揃えが豊富で、需要者の多様な要求を満足させることができるものであることも重要である。
【特許文献１】特開２００２−６３４７８号公報
【発明の開示】
【発明が解決しようとする課題】
【０００３】
しかしながら、前記従来のシステムでは、利用者側からサーバにアクセスすることで好みの店舗情報を取得する必要があり、多忙なビジネスの場においては昼食前の的確なタイミングでこれらのデータを検索できないという問題があった。さらに、大規模な店舗の場合はともかく、中小もしくは個人的な店舗の場合には、効果的なホームページを作成し、あるいはそれを維持管理するための費用負担が大きく、また、品揃えできる商品の範囲も限られるため、この種のシステムの導入が難しく、また導入しても採算性の点で満足な結果が得られないことが多い。
そこで、本発明は、いつでも的確なタイミングで好みの昼食情報などの店舗情報を提供することのできる店舗情報提供システムを提供するとともに、資金力等において劣る中小もしくは個人店舗にあっても、効果的な広告活動を可能とする店舗情報提供システムを提供することを目的とする。
【課題を解決するための手段】
【０００４】
本発明の請求項１記載の店舗情報提供システムは、各店舗が有する店舗端末からメール配信される店舗情報をそのデータベースに蓄積する管理サーバと、利用会員の使用するクライアント端末と、をインターネットを介して接続する店舗情報提供システムであって、前記管理サーバが、所定時間帯毎に前記データベースから該利用会員の嗜好やエリア等の選択条件に適合する店舗情報を抽出する情報抽出手段と、抽出された店舗情報をクライアント端末のメールアドレス宛に一括配信するメール配信手段と、を備えていることを特徴とする。
【０００５】
また、請求項２記載の店舗情報提供システムは請求項１において、前記管理サーバが、そのホームページ上に前記データベースから抽出された最新の店舗情報を編集して公開するホームページ編集公開手段を備えていることを特徴とする。
【発明の効果】
【０００６】
本発明によれば、管理サーバが、所定の時間帯毎にデータベースから利用会員の嗜好やエリア等の選択条件に適合する店舗情報を抽出して、この店舗情報を利用会員のメールアドレス宛に一括メール配信するので、いつでも的確なタイミングで好みの昼食情報などの店舗情報を予め登録された利用者に提供ができるとともに、中小や個人店舗であっても効果的な広告活動を可能とするシステムとすることができる。
【発明を実施するための最良の形態】
【０００７】
本実施形態に係る店舗情報提供システムは、各飲食店（店舗）の店舗端末からメール配信される店舗情報をそのメモリ上のデータベース領域に蓄積する管理サーバと、利用会員が使用するクライアント端末とが、インターネットを介して接続状態にあり、管理サーバは、昼食前や夕方などの所定時間帯毎にデータベースから利用会員の嗜好やエリアなどの選択条件に適合する店舗情報を抽出する情報抽出手段と、抽出された店舗情報を利用会員のメールアドレス宛に一括配信するメール配信手段と、を備えている。これによって、利用会員に対して昼食前などのタイミングで好みの昼食情報を的確に提供することができる。また、各飲食店は管理サーバ宛に自店の店舗情報をメール送信するだけで管理サーバのデータベースに保存させることができ、効果的な情報配信や広告活動を展開することができる。
【０００８】
管理サーバは、各店舗端末及びクライアント端末とインターネットを介して接続可能に設けられたコンピュータ等であって、各飲食店の店舗端末からメール配信された店舗情報をそのメモリ上のデータベース領域に蓄積するように運営される。
なお、このような管理サーバを各飲食店のエリア毎やその形態毎に複数台設置して、管理サーバ同士を接続した大規模なシステムとすることもできる。
【０００９】
店舗端末やクライアント端末は、例えば携帯電話機やＰＨＳ等の移動体端末やパソコンなどの固定端末等であって、インターネット上におけるメールアドレスなどの情報を管理サーバのデータベースに予め登録している。
【００１０】
情報抽出手段は、昼食前や夕方などの時間帯毎に、前記データベースから利用会員の嗜好やエリアなど利用会員の指定した選択条件に適合する店舗情報を抽出する手段であり、この手段は前記管理サーバにロードされたプログラムなどによって実行される。
【００１１】
メール配信手段は、情報抽出手段により抽出された各利用会員の選択条件に適合した店舗情報を利用会員のメールアドレス宛に一括配信する管理サーバの手段であって、管理サーバのメールプログラムによって実行されるようになっている。
【００１２】
本実施形態の店舗情報提供システムにおいては、前記管理サーバのホームページ上に前記データベースから抽出された各飲食店の最新の店舗情報を編集して公開するホームページ編集公開手段を備えることもできる。これによって、登録された利用会員のみならず、不特定多数の利用者に対してホームページを介して店舗情報を提供することができ、利用会員数の拡大を図ることができる。
ホームページ編集公開手段は、例えば、季節やエリア、時間帯などの予め設定された環境条件のデータに基づいて、管理サーバのデータベースに蓄積された店舗情報から最新の店舗情報を抽出してホームページ上に表示する機能を有したプログラムによって実行される。
【実施例】
【００１３】
図１は、本発明の店舗情報提供システムの実施例に係る概略システム構成図であり、図２は、店舗情報提供システムを用いた、昼食メニュー配信ビジネスの一例を示すフロー図である。以下、図面を参照しながら本実施例の店舗情報提供システムについてさらに具体化して説明する。
図１において、１０はインターネット上に構築される店舗情報提供システムであり、１１は店舗端末、１２は店舗端末１１から配信される店舗情報を蓄積する管理サーバ、１３はクライアント端末、１４は管理サーバ１２のホームページを閲覧できるパソコンなどの一般端末である。
【００１４】
店舗情報提供システム１０において、管理サーバ１２には各種のデータベースが備えられている。このうち店舗データベースには各店舗の昼食メニューやディナーメニュー等の全ての商品データを登録したマスターが蓄積されており、このマスターに登録された商品データを、例えば食品ジャンル別、あるいは売り上げ頻度などの項目毎に仕分けてなる各種のコンテンツが備えられている。
また、その他のデータベースとしては、本店舗情報提供システム１０に加盟する店舗の住所、電話、代表者などを記録した店舗会員データベースや、利用会員のメールアドレスなどを記録した利用会員データベースも備えられており、加盟する各店舗会員や本店舗情報提供システムにより店舗情報の配信を受信する利用会員の情報が、登録した店舗会員や利用会員毎に会員ＩＤ番号やパスワード、店舗会員の加盟店コード番号、加盟店が特定の支店に属する場合の店舗コードなどと併せて登録されている。また、管理サーバ１２が、店舗端末やクライアント端末を識別するための所謂クッキーと呼ばれる端末識別コード等も併せて登録されている。
【００１５】
さらに、店舗会員データベースには、ホームページの作成時に用いる加盟店舗の店名ロゴやホームページに表示するメニューなどの商品等、或いは加盟店の支店リスト等の加盟店に専用のホームページデータを登録することもできる。
【００１６】
管理サーバ１２は、毎日、昼食前の所定時間帯に前記店舗データベースから利用会員の選択条件（食事するエリア、メニューの種類、価格などの内容）に適合する店舗情報を抽出するとともに、抽出された店舗情報を利用会員のメールアドレス宛に一括配信する機能を実現するための配信プログラムを備えている。これによって、図２に示すように、利用会員に対して昼食前などの所定時間になると選択条件に合致した店舗情報を配信する。以下、これらの機能を備えた自動配信の仕組みについて説明する。
【００１７】
（自動配信システムの仕組み）
管理サーバ１２に予めロードされた店舗情報の配信プログラムには、内蔵されたタイマーからの時間を取得する時間取得ルーチンを備えている。これによって、管理者が設定した昼食前などの記事投稿締切時刻になると、その時点における店舗情報のデータに基づいて以下に示す手順により自動編集を開始して、各利用会員用の配信記事が作成される。こうして、管理者が設定した記事配信時刻をきっかけとして、利用会員のアドレス宛にこの編集された店舗情報が自動配信されるようになっている。
（店舗情報の受信）
先ず、管理サーバ１２は、店舗端末１１から投稿（送信）されてきた全ての店舗情報に対して、次の条件に合致するものを受信する。
１．投稿元の店舗の登録ステータスが正常であるもの。
２．投稿元の店舗の契約者の登録ステータスが正常であるもの。
登録ステータスとしては「管理者が未認証」や「削除依頼中」等の正常でないものがあり、正常な登録ステータスの店舗及び契約者からの店舗情報だけを受信する。
【００１８】
（利用会員への店舗情報の配信）
全ての利用会員に対する店舗情報の配信について以下のようなデータ処理を行う。
１．配信日の曜日と、各利用会員の配信希望曜日を比較して、合致していれなければ次の利用会員へ進む（選択条件の合致）。
２．エリア情報が登録されていなければ配信記事リストを"無し"とし、４．へ進む。
３．抽出した全ての記事に対し、利用会員の配信希望ジャンルとエリアが含まれているか調べる。含まれていれば（選択条件の合致）配信記事リストへ加える。
（なお、配信希望ジャンルとエリアの判定は次項（エリアの判定概念）を参照）
４．この時点で配信記事リストが"無し"の場合、配信メッセージを「希望ジャンル・エリアからの配信なし」に設定し、６．へ進む。
５．配信記事リストに対して管理サーバ１２は次の処理を行う。
ａ．配信記事リストから投稿元の店舗情報を取得し、店舗情報に設定されている掲載希望条件に沿って、管理サーバ内の店舗会員データベースにアクセスし、住所・電話番号等を含んだ店舗情報の一部を作成する。
ｂ．さらに店舗端末から投稿された配信記事を付加し、配信用の店舗情報とする。
ｃ．ａ−ｂで作成した店舗情報を、配信メッセージに加える。
ｄ．この店舗情報がリスト内の中間（リストが偶数個ならば中間より１つ前）であれば、広告を配信メッセージに加える。
６．配信メッセージの先頭と末尾に広告などを加える。
７．ここで、特定の利用会員に対する配信メッセージの作成が完了する。
８．各利用会員の配信希望形態に合わせて、各利用会員のメールアドレス宛に配信を行う。
以上の手順により、各店舗端末より送信されてきた店舗情報を、利用会員の希望に沿って自動的に再構成することができる。
【００１９】
（エリアの判定概念）
１、クライアント端末１１の利用会員が昼食をとるエリア情報（地域情報）は下記のようにすべてのエリアに対してユニークなコードが付与される（表１参照）。
２、以下のようなコード規則によってクライアント端末１１の対応するコードを判定して、配信する店舗情報を決定する。例えば、表１に示すように、下記のエリアであれば店舗情報を得る利用会員が選択条件で設定したエリアを上位ランクから０が設定されているランクまで判定して０が付与されている場合、同列階層以下の階層に属するすべての店舗情報を配信する。つまり、店舗情報を得る利用会員が「新宿区」の情報を希望した場合、１．１．１．０〜１．１．１．４に属する店舗情報が抽出される。
また、店舗情報を得る利用会員が「新宿区の東口」の情報を希望した場合、０の存在が無い為、最下部階層まで判定が行われ１．１．１．２に属する店舗情報のみが抽出される。
店舗情報を得る利用会員が、選択条件で複数のエリアを設定している場合、繰り返し処理を行うが重複情報は除外される。なお、エリア判定終了後、ジャンル判定に移りさらに店舗情報の絞り込みが行われる。ジャンルの判定に関してもエリアと同様の仕組みで行う。
【表１】
2008047077.tif 000003
【００２０】
以上説明したように、本実施例の店舗情報提供システム１０においては、飲食店の照会サイトをインターネット上に構築して、加盟店から集まった店舗情報をもとに電子メールに編集して利用会員のパソコンや携帯電話などのクライアント端末１３に昼食前などに配信することができる（図２参照）。
なお、利用会員は昼食を食べるエリア（仕事場から半径５００ｍ以内など）を予め選択条件として登録しておくことで、管理サーバ１２はその選択条件に合致する飲食店の店舗情報を抽出してその日の献立などとともにメール配信することができる。
【００２１】
本発明の店舗情報提供システムは、管理サーバが所定の時間帯毎にデータベースから利用会員の嗜好やエリアに適合する店舗情報を抽出して、この店舗情報を利用会員のメールアドレス宛に一括メール配信するようにしたことを要旨としたもので、これに該当するものは本発明の権利範囲に属する。
例えば、管理サーバにおいてデータベースから利用会員向けに抽出する店舗情報の抽出条件としては、利用会員の個人情報の他に、データベースに蓄積されたホームページへのアクセスカウント数や、エリアや時間帯、季節毎に更新される旬のユニーク情報を採用すること、より広告効果に優れた情報を提供することができるようにしてもよい。すなわち、データベースの検索条件や、クライアント端末の種類などの具体的構成は、本実施形態のものに限定されることなく適宜設計変更が可能である。
【産業上の利用可能性】
【００２２】
本発明の店舗情報提供システムは、管理サーバが、所定の時間帯毎にデータベースから利用会員の嗜好やエリア等の選択条件に適合する店舗情報を抽出して、この店舗情報を利用会員のメールアドレス宛に一括メール配信するので、いつでも的確なタイミングで好みの昼食情報などの店舗情報を予め登録された利用者に提供できる。また、中小や個人店舗であっても効果的な広告活動を可能とするシステムとすることができるので、産業上の利用性が極めて大きい。
【図面の簡単な説明】
【００２３】
【図１】本実施例に係る店舗情報提供システムのシステム構成図である。
【図２】店舗情報提供システムを用いた、昼食メニュー配信ビジネスの一例を示すフロー図である。
【符号の説明】
【００２４】
１０    店舗情報提供システム
１１    店舗端末
１２    管理サーバ
１３    クライアント端末
１４    一般端末
【図１】
2008047077.tif 000004
【図２】
2008047077.tif 000005